(57)【要約】      （修正有）【課題】簡潔な構成で所望の冷却をしやすい冷却装置を可能とする冷却装置用覆い蓋、あるいは、冷却装置用覆い蓋を適用した冷却装置を提供する。【解決手段】冷却装置用覆い蓋１は、冷却対象（不図示）を収容する収容部３０を有する冷却装置３の上端にある上向き開口端３２を覆う。冷却装置用覆い蓋は、上向き開口端に位置合わせされる位置合わせ部１０と、位置合わせ部から立ち上がる側壁部１２と、側壁部の少なくとも一か所に位置して外部からの冷風を導入する冷風導入穴１４と、側壁部の上端が内側に構成する上端平面に位置する上端覆い部１６と、上端覆い部に位置する複数の排気穴１８と、を備える。【選択図】図２
0003221826.tif 000002
【実用新案登録請求の範囲】
【請求項１】
冷却対象を収容する収容部の上端に上向き開口端を備えた冷却装置において前記上向き開口端を覆う冷却装置用覆い蓋であって、
前記上向き開口端に位置合わせされる位置合わせ部と、前記位置合わせ部から立ち上がる側壁部と、前記側壁部の少なくとも一か所に位置して外部からの冷風を導入する冷風導入穴と、前記側壁部の上端が内側に構成する上端平面に位置する上端覆い部と、前記上端覆い部に位置する複数の排気穴と、を備える
ことを特徴とする冷却装置用覆い蓋。
【請求項２】
請求項１に記載の冷却装置用覆い蓋であって、
前記上端覆い部は、少なくとも２つの取手を備えること
を特徴とする冷却装置用覆い蓋。
【請求項３】
請求項１または請求項２に記載の冷却装置用覆い蓋であって、
前記上端覆い部は、平面視形状が長辺と短辺を有する矩形であること
を特徴とする冷却装置用覆い蓋。
【請求項４】
請求項１から請求項３までのいずれか一つに記載の冷却装置用覆い蓋であって、
前記冷風導入穴は、外部に位置する冷風発生装置からの冷風を導入する導入ホースを固定するホース固定部を備えること
を特徴とする冷却装置用覆い蓋。
【請求項５】
冷却対象を収容する収容部と、前記収容部の上端に上向き開口端を備えた冷却装置であって、
前記上向き開口端を覆う冷却装置用覆い蓋と、外部に位置する冷風発生装置からの冷風を導入する導入ホースと、を備え、
前記冷却装置用覆い蓋は、請求項１から請求項４までのいずれか一つの冷却装置用覆い蓋であること
を特徴とする冷却装置。
【請求項６】
請求項５に記載の冷却装置であって、
前記導入ホースは、可撓性を有するフレキシブルホースであること
を特徴とする冷却装置。
【請求項７】
請求項５または請求項６に記載の冷却装置であって、
前記上向き開口端は、前記冷却装置用覆い蓋を載置する載置部を備えること
を特徴とする冷却装置。
【考案の詳細な説明】
【技術分野】
【０００１】
本考案は、冷却対象を冷却する冷却装置に適用される冷却装置用覆い蓋、およびこの冷却装置用覆い蓋を適用した冷却装置に関する。
【背景技術】
【０００２】
冷却対象を冷却する冷却装置として冷却対象の形態に応じて種々の冷却装置が提案されている（特許文献１、特許文献２参照）。
【０００３】
特許文献１に記載の冷却装置は、積層型保冷容器とされ、冷気が通流するケースを複数積層し、上面と下面を閉塞して上方に設置したドライアイス等の冷却材からの冷気が最下段のケース内に達する構成が記載されている（特許文献１の請求項１参照）。
これにより、冷却材は各ケース内に入れる必要がないので、その詰込みおよび処理の手間が省ける。冷却材の無駄がないので、コスト的に有利である。ケース内のスペースを有効に利用できるので効率が良い。といった効果を記載している（特許文献１の作用欄参照）。
特許文献２に記載の蓄冷式冷凍ユニット付コンテナは、ファンを使わない自然対流式であり、また１つのコンテナで本体内温度を２温度帯以上に設定しよう可能としたものに関する（特許文献２の産業上の利用分野欄参照）。
【先行技術文献】
【特許文献】
【０００４】
【特許文献１】特開昭６４−６７５８１号公報
【特許文献２】特開平３−１０６９号公報
【考案の概要】
【考案が解決しようとする課題】
【０００５】
従来の冷却装置は、装置としての構成が複雑で大掛かりになりやすいという課題があった。
本考案は、簡潔な構成で所望の冷却をしやすい冷却装置を可能とする冷却装置用覆い蓋を提供することを目的とする。
また、本考案は、本考案に係る冷却装置用覆い蓋を適用して所望の冷却をしやすい冷却装置を提供することを他の目的とする。
【課題を解決するための手段】
【０００６】
本考案に係る冷却装置用覆い蓋は、冷却対象を収容する収容部の上端に上向き開口端を備えた冷却装置において前記上向き開口端を覆う冷却装置用覆い蓋であって、前記上向き開口端に位置合わせされる位置合わせ部と、前記位置合わせ部から立ち上がる側壁部と、前記側壁部の少なくとも一か所に位置して外部からの冷風を導入する冷風導入穴と、前記側壁部の上端が内側に構成する上端平面に位置する上端覆い部と、前記上端覆い部に位置する複数の排気穴と、を備えることを特徴とする。
したがって、本考案に係る冷却装置用覆い蓋は、収容部を備えた冷却装置に適用しやすい簡潔な構造を有する冷却装置用覆い蓋となるので、冷却対象に対して効果的な冷却を施しやすい。また、冷風を導入する冷風導入穴を側壁部に備えるので、他の冷却部材を収容部に導入する必要が無く、乾式の冷却装置を実現しやすい。上端覆い部に複数の排気穴が位置するので、冷風に対して温度の高い気体は排気穴から排出されやすく、冷却に不要な高温気体を効果的に排出しやすい。
【０００７】
本考案に係る冷却装置用覆い蓋の一実施の形態においては、前記上端覆い部は、少なくとも２つの取手を備えることを特徴とする。
本考案に係る冷却装置用覆い蓋の一実施の形態においては、前記上端覆い部は、平面視形状が長辺と短辺を有する矩形であることを特徴とする。
本考案に係る冷却装置用覆い蓋の一実施の形態においては、前記冷風導入穴は、外部に位置する冷風発生装置からの冷風を導入する導入ホースを固定するホース固定部を備えることを特徴とする。
【０００８】
本考案に係る冷却装置は、冷却対象を収容する収容部と、前記収容部の上端に上向き開口端を備えた冷却装置であって、前記上向き開口端を覆う冷却装置用覆い蓋と、外部に位置する冷風発生装置からの冷風を導入する導入ホースと、を備え、前記冷却装置用覆い蓋は、本考案に係る冷却装置用覆い蓋であることを特徴とする。
したがって、本考案に係る冷却装置は、収容部に収納した冷却対象を簡潔な冷却装置用覆い蓋を用いて、乾式で効果的に冷却しやすい。
本考案に係る冷却装置の一実施の形態においては、前記導入ホースは、可撓性を有するフレキシブルホースであることを特徴とする。
本考案に係る冷却装置の一実施の形態においては、前記上向き開口端は、前記冷却装置用覆い蓋を載置する載置部を備えることを特徴とする。
【考案の効果】
【０００９】
本考案に係る冷却装置用覆い蓋は、収容部を備えた冷却装置に適用しやすい簡潔な構造を有する冷却装置用覆い蓋として機能するという効果を奏する。
また、本考案に係る冷却装置は、収容部に収納した冷却対象を簡潔な冷却装置用覆い蓋を用いて、乾式で効果的に冷却しやすいという効果を奏する。
【図面の簡単な説明】
【００１０】
【図１】本考案の実施の形態１に係る冷却装置用覆い蓋を冷却装置の収容部に被せた状態を模式的に示す模式斜視図である。
【図２】図１に示した冷却装置用覆い蓋を冷却装置の収容部から離した状態を模式的に示す模式斜面図である。
【図３Ａ】図１に示した矢符号ＳＦ３Ａの位置における断面状態を拡大して冷却装置用覆い蓋と上向き開口端（載置部）との関係を模式的に示す模式拡大断面図である。
【図３Ｂ】図１に示した矢符号ＳＦ３Ｂ位置における断面状態を拡大して排気穴を模式的に示す模式拡大断面図である。
【図４】本考案の実施の形態２に係る冷却装置の動作状態を概念的に示す動作状態概念図である。
【考案を実施するための形態】
【００１１】
以下、本考案に係る冷却装置用覆い蓋１（実施の形態１）および冷却装置３（実施の形態２）について、図面を参照して説明する。
[実施の形態１（図１〜図４）]
図１ないし図４を参照して、本考案の実施の形態１に係る冷却装置用覆い蓋１について説明する。
図１は、本考案の実施の形態１に係る冷却装置用覆い蓋１を冷却装置３の収容部３０に被せた状態を模式的に示す模式斜視図である。
図２は、図１に示した冷却装置用覆い蓋１を冷却装置３の収容部３０から離した状態を模式的に示す模式斜面図である。
図３Ａは、図１に示した矢符号ＳＦ３Ａの位置における断面状態を拡大して冷却装置用覆い蓋１と上向き開口端３２（載置部３４）との関係を模式的に示す模式拡大断面図である。
図３Ｂは、図１に示した矢符号ＳＦ３Ｂ位置における断面状態を拡大して排気穴１８を模式的に示す模式拡大断面図である。なお、上端覆い部１６の厚みは、図３Ａに比べて更に大きく記載してある。
図４は、本考案の実施の形態２に係る冷却装置３の動作状態を概念的に示す動作状態概念図である。
【００１２】
本実施の形態に係る冷却装置用覆い蓋１は、冷却対象（不図示）を収容する収容部３０の上端に上向き開口端３２を備えた冷却装置３において上向き開口端３２を覆う。
冷却装置用覆い蓋１は、上向き開口端３２に位置合わせされる位置合わせ部１０と、位置合わせ部１０から立ち上がる側壁部１２と、側壁部１２の少なくとも一か所に位置して外部からの冷風ＷＣを導入する冷風導入穴１４と、側壁部１２の上端が内側に構成する上端平面に位置する上端覆い部１６と、上端覆い部１６に位置する複数の排気穴１８と、を備える。
【００１３】
冷却装置用覆い蓋１は、収容部３０を備えた冷却装置３に適用しやすい簡潔な構造を有する冷却装置用覆い蓋１となるので、冷却対象に対して効果的な冷却を施しやすい。また、冷風ＷＣを導入する冷風導入穴１４を側壁部１２に備えるので、他の冷却部材を収容部３０に導入する必要が無く、乾式の冷却装置３を実現しやすい。上端覆い部１６に複数の排気穴１８が位置するので、冷風ＷＣに対して温度の高い気体（温風ＷＨ）は排気穴１８から排出されやすく、冷却に不要な高温気体（温風ＷＨ）を効果的に排出しやすい。
【００１４】
上端覆い部１６は、側壁部１２の上端が内側に囲んで構成する上端平面にそのまま位置する（上端平面は、そのまま上端覆い部１６でもある）ので、平面状（平板）となる。排気穴１８は、上端覆い部１６の略中央に位置するので、効率よく温風ＷＨを排出しやすい。
冷却装置用覆い蓋１は、熱伝導性の低い合成樹脂で形成されることが好ましい。側壁部１２および上端覆い部１６は、一体の合成樹脂で形成されていることが好ましい。合成樹脂の外側に強度を確保するための金属板を配置しても良い。
【００１５】
冷却装置用覆い蓋１において、上端覆い部１６は、少なくとも２つの取手２０を備えることが好ましい。上端覆い部１６は、複数の取手２０を有するので、冷却装置用覆い蓋１の開閉操作を容易に実行しやすい。特に、上端覆い部１６が広い面積を有する大型形状の場合は、作業性を向上させ、使用しやすい。
上端覆い部１６は、平面視形状が長辺と短辺を有する矩形であることが好ましい。上端覆い部１６は、平面視形状が長辺と短辺を有する矩形であるので、収容部３０に対する位置決めをしやすい。長辺は、例えば１５００〜２５００ｍｍ（特には、１９７０ｍｍ）であり、短辺は、例えば５００〜８００ｍｍ（特には、６３０ｍｍ）である。
【００１６】
冷風導入穴１４は、外部に位置する冷風発生装置５０からの冷風ＷＣを導入する導入ホース５２を固定するホース固定部２２を備えることが好ましい。
ホース固定部２２は、側壁部１２から冷風ＷＣを導入する導入ホース５２を確実に固定できるので長時間の動作を安定させて信頼性を向上させやすい。また、側壁部１２の高さは、例えば１５０〜３００ｍｍ（特には、２３０ｍｍ）である。このため、冷風導入穴１４は、比較的大口径の導入ホース５２に対応できるので、風量を確保しやすい。
【００１７】
[実施の形態２（図１〜図４）]
図１ないし図４を参照して、本考案の実施の形態１に係る冷却装置３について説明する。各図の説明は実施の形態１に記載したとおりであるので省略する。
本実施の形態に係る冷却装置３は、冷却対象を収容する収容部３０と、収容部３０の上端に上向き開口端３２を備える。冷却装置３は、上向き開口端３２を覆う冷却装置用覆い蓋１と、外部に位置する冷風発生装置５０からの冷風ＷＣを導入する導入ホース５２と、を備える。冷却装置３に適用される冷却装置用覆い蓋１は、実施の形態１に係る冷却装置用覆い蓋１であることが好ましい。
冷却装置３は、収容部３０に収納した冷却対象を簡潔な冷却装置用覆い蓋１を用いて、乾式で効果的に冷却しやすい。
収容部３０は、周囲の環境に対して断熱性を有する筐体であり、市販品あるいは特製品の種別を問わない。冷却装置用覆い蓋１は、収容部３０の形状に応じて適切に形成される。
【００１８】
導入ホース５２は、可撓性を有するフレキシブルホースであることが好ましい。フレキシブルホースは、冷風導入穴１４と外部の冷風発生装置５０との間の接続を容易にしやすい。
上向き開口端３２は、冷却装置用覆い蓋１を載置する載置部３４を備えることが好ましい。載置部３４は、冷却装置用覆い蓋１の位置合わせ部１０を載置させるので、上向き開口端３２と冷却装置用覆い蓋１は、互いに結合（連結）されて効果的な冷却（保冷）を実現しやすい。
冷風導入穴１４から導入された冷風ＷＣは、収容部３０で下降気流を生じ、収容部３０に充填される。その結果、冷風ＷＣに比べて比重が大きい温風ＷＨは、冷風ＷＣに押されて上昇気流となって排気穴１８を介して排出される。結果として収容部３０は、冷却され、冷却状態が維持される。
【産業上の利用可能性】
【００１９】
本考案に係る冷却装置用覆い蓋および冷却装置は、冷却対象を効果的に冷却するので、利便性が高く、産業上の利用性が大きい。
【符号の説明】
【００２０】
１      冷却装置用覆い蓋
３      冷却装置          
１０  位置合わせ部
１２  側壁部
１４  冷風導入穴
１６  上端覆い部
１８  排気穴
２０  取手
２２  ホース固定部  
３０  収容部
３２  上向き開口端
３４  載置部              
５０  冷風発生装置
５２  導入ホース      
ＷＣ  冷風
ＷＨ  温風
【図１】
0003221826.tif 000003
【図２】
0003221826.tif 000004
【図３Ａ】
0003221826.tif 000005
【図３Ｂ】
0003221826.tif 000006
【図４】
0003221826.tif 000007